(57)【要約】【課題】煩雑な操作を必要とせず、カメラヘッドをカメラ本体に簡単に装着することができ、しかも接点の磨耗が抑制されたマウント構造を持つカメラシステムを提供する。【解決手段】カメラ本体１ｂのマウント部１０ｂ内の本体側接点１００ｂがヘッド側接点１００ａを受け入れた状態で回動するようにしておく。カメラヘッドの回動によってもヘッド側接点１００ａと本体側接点１００ｂと供に相対回転しないので、接点同士が擦れて接点が磨耗するとことがない。さらにカメラヘッドの持ち替えなどを行なわずにカメラヘッドを回動するという操作のみでカメラヘッド１ａをカメラ本体１ｂに簡単に装着することができる。【選択図】  図５
2006065209.tif 000002
【特許請求の範囲】
【請求項１】
撮影光学系と撮像素子を備えたカメラヘッドと、該カメラヘッドが着脱自在に装着されるマウント部を有し該マウント部に装着されたカメラヘッドから画像信号を受け取って信号処理を行なうカメラ本体とを備えたカメラシステムにおいて、
前記マウント部が、前記カメラヘッドの、該マウント部に装着された該装着部を受け入れ該カメラヘッドの光軸まわりの所定の装着方向への回動により該カメラヘッドを保持するとともに、装着されたカメラヘッドの、該装着方向とは反対向きの離脱方向への回動により該カメラヘッドの保持を解除するものであって、
前記マウント部と前記装着部が、該マウント部が該装着部を受け入れた段階で相互に接し該カメラヘッドの回動によっても相対回転が禁止された、それぞれ本体側接点とヘッド側接点を有するものであること特徴とするカメラシステム。
【請求項２】
前記カメラヘッドの前記装着方向への回動終了位置で前記カメラ本体に装着が完了したことを検出するセンサを備えたことを特徴とする請求項１記載のカメラシステム。
【請求項３】
前記カメラヘッドの回動に伴って前記本体側接点が回動するものであることを特徴とする請求項１記載のカメラシステム。
【請求項４】
前記本体側接点に接続されたハーネスあるいはフレキシブル基板を備えたことを特徴とする請求項３記載のカメラシステム。
【請求項５】
前記カメラヘッドの回動に伴って前記ヘッド側接点が回動するものであることを特徴とする請求項１記載のカメラシステム。
【請求項６】
前記ヘッド側接点に接続されたハーネスあるいはフレキシブル基板を備えたことを特徴とする請求項５記載のカメラシステム。
【発明の詳細な説明】
【技術分野】
【０００１】
本発明は、撮影光学系と撮像素子を備えたカメラヘッドと、そのカメラヘッドが着脱自在に装着されるマウント部を有しそのマウント部に装着されたカメラヘッドから画像信号を受け取って信号処理を行なうカメラ本体とを備えたカメラシステムに関する。
【背景技術】
【０００２】
撮影光学系と撮像素子を備えたカメラヘッドと、そのカメラヘッドが着脱自在に装着されるマウント部を有しそのマウント部に装着されたカメラヘッドから画像信号を受け取って信号処理を行なうカメラ本体とを備えたカメラシステムがある。このようなカメラシステムにおいては、カメラヘッドがカメラ本体に装着されるときに、カメラヘッドの装着部がカメラ本体のマウント部に挿入された後、光軸まわりにカメラヘッドが回動されてカメラヘッドがカメラ本体に装着されるものが多い（例えば特許文献１、２参照）。
【０００３】
このようなカメラシステムにおいては、上記カメラヘッドの装着部とカメラ本体のマウント部との双方に対になるように電気接点を配しておいてカメラヘッドが光軸まわりに回動されカメラヘッドがカメラ本体に装着されたときに対になっている双方の電気接点同士が相互に接続されるものが多い。このような電気接点の中には電力供給用の接点もあり、カメラヘッドがカメラ本体に装着されない状態にあるときには、電力供給用の接点が露出して剥き出しになってしまうこともあるため、電力供給用の接点については表面から奥深くなるように段差を設けて配置しておいて、金属片などが接点部に入り込んで短絡事故が起きないようにする技術が提案されている（例えば特許文献３参照）。またカメラヘッド側の多数の接点とカメラ本体側の多数の接点との双方の接点同士が正しく接続されるようにカメラヘッド側の接点の配置間隔およびカメラ本体側の接点の配置間隔それぞれを所定の位置に達したときにだけ接するように配置することで装着時の短絡を防止する技術も提案されている（特許文献４参照）。
【０００４】
しかしながら、これらの技術を駆使しようとも、カメラヘッドがカメラ本体に装着されようとしてカメラヘッドが回動されている間にカメラヘッド側の接点とカメラ本体側の接点とが擦れて磨耗してしまうという問題は残る。
【０００５】
この問題を解決するため、カメラヘッドを回動操作することなくカメラヘッドの進退操作のみでカメラ本体にカメラヘッドを装着することができるようにしようとしたものもある（例えば特許文献５参照）。しかし、このように進退操作のみでカメラ本体にカメラヘッドを装着することができるようにしてはみても、今度はカメラヘッドを回動するという操作の代わりに回転リングを回すという操作および、その回転リングを回そうとするときにカメラヘッドを持ち変えるという操作が必要になってしまう。これでは、以前にも増してカメラヘッドをカメラ本体に装着するときの操作が煩雑になってしまう。
【特許文献１】特開平８−１７２５６１号公報
【特許文献２】特開２０００−１７５０８９号公報
【特許文献３】特公平７−３４０９４号公報
【特許文献４】特公平４−１１８５０号公報
【特許文献５】特開平８−２６２５４６号公報
【発明の開示】
【発明が解決しようとする課題】
【０００６】
本発明は、上記事情に鑑み、煩雑な操作を必要とせず、カメラヘッドをカメラ本体に簡単に装着することができ、しかも接点の磨耗が抑制されたマウント構造を持つカメラシステムを提供することを目的とする。
【課題を解決するための手段】
【０００７】
上記目的を達成する本発明のカメラシステムは、撮影光学系と撮像素子を備えたカメラヘッドと、そのカメラヘッドが着脱自在に装着されるマウント部を有しそのマウント部に装着されたカメラヘッドから画像信号を受け取って信号処理を行なうカメラ本体とを備えたカメラシステムにおいて、
上記マウント部が、上記カメラヘッドの、そのマウント部に装着された装着部を受け入れそのカメラヘッドの光軸まわりの所定の装着方向への回動によりそのカメラヘッドを保持するとともに、装着されたカメラヘッドの、その装着方向とは反対向きの離脱方向への回動によりそのカメラヘッドの保持を解除するものであって、
上記マウント部と上記装着部が、そのマウント部が装着部を受け入れた段階で相互に接し、上記カメラヘッドの回動によっても相対回転が禁止された、それぞれ本体側接点とヘッド側接点を有するものであること特徴とする。
【０００８】
上記カメラシステムによれば、上記マウント部が、上記カメラヘッドの、そのマウント部に装着された装着部を受け入れそのカメラヘッドの光軸まわりの所定の装着方向への回動によりそのカメラヘッドを保持するとともに、装着されたカメラヘッドの保持を解除するものであるため、上記カメラヘッドを上記カメラ本体に装着するためにわざわざカメラヘッドを持ち変えるというような煩雑な操作が必要なくなる。
【０００９】
また上記マウント部が上記装着部を受け入れた状態で上記本体側接点と上記ヘッド側接点との間の相対回転が禁止されたまま、上記カメラヘッドが回動されることになるので、ヘッド側接点と本体側接点とが擦れて磨耗するといったこともなくなる。
【００１０】
ここで、上記カメラヘッドの上記装着方向への回動終了位置で上記カメラ本体に装着が完了したことを検出するセンサを備えた態様であることが好ましい。
【００１１】
このように上記カメラヘッドが上記カメラ本体に所定の位置まで回動されて装着されたことが上記カメラ本体側に認識されるようになる。そうすると、例えばカメラ本体側に電池を装填してある場合には、カメラヘッドが回動終了位置まで回動された後になってから上記カメラ本体側から上記本体側接点、さらにヘッド側接点を通してカメラヘッド側の各部へ電力が確実に供給されるようになる。また、このようにしておくとカメラヘッドがカメラ本体に装着され電源が投入されたままの状態にあるときに、もしもカメラヘッドがカメラ本体から抜去されそうになったとしてもその抜去されようとする瞬間を上記センサで検知し、上記本体側接点と上記ヘッド側接点がまだ接続状態にあるときに電源を遮断する構成に拡張することもできる。そうすると電源が投入された状態のままでのカメラヘッドのカメラ本体からの離脱が防止され、電源が投入された状態のままでのカメラヘッドの離脱により各接点からカメラヘッド内部やカメラ本体内部の電気回路などに異常信号がそれぞれ混入してカメラヘッドの電気系統やカメラ本体の電気系統が故障するといったことが防止される。
【００１２】
また、上記カメラヘッドの回動に伴って上記本体側接点が回動するものであることが好ましく、上記本体側接点に接続されたハーネスあるいはフレキシブル基板を備えた態様であることが望ましい。
【００１３】
そうすると、カメラヘッドの回動に伴って本体側接点が回動することで本体側接点とヘッド側接点との間の相対回転が禁止された構造が達成される。また、その回動する本体側接点と例えば制御基板との間の電気的な接続が上記ハーネスあるいはフレキシブル基板の柔軟性により保証される。
【００１４】
また、上記カメラヘッドの回動に伴って上記ヘッド側接点が回動するものであっても良く、さらに上記ヘッド側接点に接続されたハーネスあるいはフレキシブル基板を備えたものであっても良い。
【発明の効果】
【００１５】
以上、説明したように、煩雑な操作を必要とせず、カメラヘッドをカメラ本体に簡単に装着することができ、しかも接点の磨耗が抑制されたマウント構造を持つカメラシステムが実現される。
【発明を実施するための最良の形態】
【００１６】
以下、本発明の実施の形態について説明する。
【００１７】
図１は、本発明の一実施形態であるカメラシステムを示す図である。
【００１８】
図１（ａ）には、カメラヘッド１ａがカメラ本体１ｂに装着される前の状態が示されており、図１（ｂ）には、カメラヘッド１ａがカメラ本体１ｂに装着された後の状態が示されている。
【００１９】
図１（ａ）に示すようにカメラ本体１ｂの中央にはカメラヘッド１ａの装着部を受け入れるマウント部１０ｂが設けられている。このマウント部１０ｂは、カメラヘッド１ａの、そのマウント部１０ｂに装着される装着部１０ａを受け入れそのカメラヘッドの光軸まわりの所定の装着方向への回動（図中矢印Ａ方向で示される方向）によりそのカメラヘッド１ａを保持するものであり、そのカメラヘッドの、装着方向とは反対向きの離脱方向（図中矢印Ｂ方向で示される方向）への回動によりカメラヘッド１ａの保持を解除するものである。
【００２０】
つまり、カメラヘッド１ａをカメラ本体１ｂに装着して図１（ｂ）に示すようなカメラシステムを構成しようとするときには、カメラ本体１ｂのマウント部１０ｂにカメラヘッド１ａの装着部１０ａを挿入してカメラヘッドを回動するという操作をユーザが行なうことによりカメラヘッドをカメラ本体に装着することができ、その装着方向とは逆の方向に回動するという操作をユーザが行なうことによりマウント部に保持させていたカメラヘッドを装着部とともにカメラ本体のマウント部から離脱させることができる。
【００２１】
このカメラ本体１ｂのマウント部１０ｂとカメラヘッド１ａの装着部１０ａにはそれぞれ本体側接点１００ｂとヘッド側接点（図示せず）とが設けられていて、図中の一点鎖線に沿ってカメラヘッド１ａの装着部１０ａがカメラ本体１ｂのマウント部１０ｂに装着され図１（ｂ）に示すようになってカメラヘッド１ａがカメラ本体１ｂのマウント部に保持されると、それらの接点同士が各々接続されてカメラヘッド１ａとカメラ本体１ｂとの電気的な接続も保たれるようになっている。
【００２２】
本実施形態では、これらの接点それぞれが通信用、電力供給用にそれぞれ割り当てられていてカメラ本体１ｂ側からカメラヘッド１ａ側への通信が行なわれたり、またカメラヘッド１ａ側からカメラ本体１ｂ側への通信が行なわれたり、さらにカメラ本体１ｂ側からカメラヘッド１ａ側への電力の供給が行なわれたりする。
【００２３】
このようにしてカメラヘッド１ａがカメラ本体１ｂに装着されると、カメラヘッド１ａの機能が最大限に活用され撮影が行なわれるカメラシステム１が構成される。
【００２４】
図１（ａ）、（ｂ）に示すカメラヘッド１ａには撮影光学系と撮像素子とが、またカメラ本体１ｂにはそのカメラヘッド１ａから画像信号を受け取って信号処理を行なう信号処理部が配備され、図１（ｂ）に示すようにカメラシステムが構成された後、レリーズ釦１９ａが押されたら、カメラヘッド１ａ内の撮像素子で生成された画像信号がカメラ本体１ｂへと受け渡されてカメラ本体１ｂ内の信号処理部で信号処理が行なわれるようになっている。
【００２５】
ここで図２を参照してカメラヘッド１ａがカメラ本体１ｂに装着された状態にあるときの撮影処理を行なう部分の構成を簡単に説明しておく。
【００２６】
図２はカメラヘッド１ａがカメラ本体１ｂに装着された状態にあるときのカメラシステムの内部構成のうち、主に撮影処理に係わる系統を抜き出して示した図である。
【００２７】
図２の左側にはカメラヘッド１ａの構成が、また図２の右側にはカメラ本体１ｂの構成がそれぞれ示されている。
【００２８】
まず、カメラヘッド１ａ側の構成を簡単に説明する。
【００２９】
図２に示すようにこのカメラシステム１を構成するカメラヘッド１ａには、撮影光学系であるレンズ１１ａと撮像素子（ここではＣＣＤ固体撮像素子が用いられているので以下ＣＣＤという）１２ａとが備えられている。ここではレンズ１１ａでＣＣＤ１２ａに被写体を結像させてＣＣＤ１２ａで被写体を表す画像信号の生成を行なうときに、カメラ本体側のＣＰＵ１１ｂがカメラヘッド側に設けられているタイミングジェネレータ（以下ＴＧという）１４ａに指示を出してそのＴＧ１４ａから露光開始および露光終了のタイミング信号をＣＣＤ１２ａに供給させＣＣＤ１２ａからＣＤＳ／ＡＤ部１３ａに被写体を表す画像信号を出力させている。そのＣＤＳ／ＡＤ部１３ａによってＣＣＤ１２ａから画像信号を出力させたときにその画像信号に乗ったノイズが低減され、さらにアナログ信号の画像信号がデジタル信号の画像信号に変換されデジタル信号になった画像信号がマウント部１０ｂの本体側接点１００ｂおよび装着部１０ａのヘッド側接点１００ａを通してカメラ本体１ｂへ供給される。図３には、装着部１０ａおよびマウント部１０ｂに配備されている多数の本体側接点１００ａおよびヘッド側接点１００ｂのうち、電力供給用の本体側接点１００１ｂおよびヘッド側接点１００１ａ、画像信号転送用の本体側接点１００２ｂおよびヘッド側接点１００２ａ、カメラ本体１ｂからカメラヘッド１ａへ供給する制御信号用の本体側接点１００３ｂおよびヘッド側接点１００３ａが示されている。
【００３０】
このようにしてカメラヘッド１ａからの画像信号の供給をそれらの接点を通して受け取るカメラ本体１ｂには、信号処理部１５ｂが配備され、その信号処理部１５ｂで画像信号の信号処理が行われる。
【００３１】
その信号処理部１５ｂで信号処理が行なわれた画像信号がＬＣＤ表示部１６ｂに供給されて表示画面上にスルー画の表示が行なわれたり、そのスルー画の表示中にレリーズ釦１９ｂ（図１参照）が押されたら記録媒体１７ｂに画像信号が記録されたりする。
【００３２】
なお図３には、このカメラシステム１の動作を統括的に制御する、ＲＯＭ１２ｂ、ＥＥＰＲＯＭ１３ｂ、ＲＡＭ１４ｂ、ＣＰＵ１１ｂで構成されるマイクロコンピュータが図示されている。このマイクロコンピュータによりカメラヘッド各部およびカメラ本体各部の動作が制御されている。
【００３３】
このような内部構成を持つカメラヘッド１ａおよびカメラ本体１ｂそれぞれが備えるマウント部１０ｂと装着部１０ａの構成を図３から図５を参照して詳細に説明する。
【００３４】
図３は、カメラヘッド１ａ側の装着部１０ａとカメラ本体１ｂ側のマウント部１０ｂを光軸に沿って切断して横から見た断面を模式的に示した図である。この図３には、カメラ本体１ｂ側が備える基板１１００ｂとマウント部１０ｂにある接点との間の配線がフレキシブル基板１１０１ｂにより行なわれていることも示されている。
【００３５】
また図４は、カメラヘッドの装着部とカメラ本体のマウント部とを抜き出して正面から見た図であり、図５は、カメラ本体側のマウント側接点がカメラヘッドの回動に伴って回動したことを説明する図である。
【００３６】
図３〜図５に示すように、マウント部１０ｂが、カメラヘッド１ａの、マウント部１０ｂに装着された装着部１０ａを受け入れカメラヘッドの光軸まわり（図中矢印で示してある）の所定の装着方向への回動によりカメラヘッド１ａを保持するとともに、装着されたカメラヘッド１ａの、その装着方向とは反対向きの離脱方向への回動によりそのカメラヘッド１ａの保持を解除するものであって、マウント部１０ｂが装着部１０ａを受け入れた状態で相互に接し、そのカメラヘッド１ａを回動によっても相対回転が禁止された、それぞれ本体側接点１００ｂとヘッド側接点１００ａを有するものである。
【００３７】
図３、図４、図５を順に参照しながらマウント部１０ｂおよび装着部１０ａの構成を説明していく。
【００３８】
図３に示すようにマウント部１０ｂは凹構造になっていて装着部１０ａは凸構造になっている。その凸構造の装着部１０ａには、カメラ本体１ｂ側へ突き出すようにしてヘッド側接点部１００ａが設けられており、カメラ本体１ｂ側のマウント部１０ｂにはそのヘッド側接点１００ａを受け入れることができるように凹み構造のマウント部をさらに凹ませるようにして本体側接点部１００ｂが設けられている。
【００３９】
本実施形態では、図３に示すように、ヘッド側接点部１００ａと本体側接点部１００ｂを、嵌合する２つの基台１０１ａ，１０１ｂそれぞれが対向する面それぞれに設けて、双方の基台のうちの本体側の基台１０１ｂの方を、カメラヘッド１ａの回動に伴って回動するように、またヘッド側の基台１０１ａの方を、カメラヘッド１ａの回動によっても回動しないように構成している。このような構成にしておくと、カメラヘッド１ａの回動によっても本体側接点１００ｂが回動することによりヘッド側接点１００ａと本体側接点１００ｂの相対回転が禁止される。また、この例においては、その回動自在に構成した本体１ｂ側の基台１０１ｂの本体側接点１００ｂと制御基板１１００ｂとを接続するための配線がカメラヘッド１ａの回動によって暴れることがないようにフレキシブル基板（もしくはワイヤーハーネス）１１０１ｂにより行なわれた例が示されている。
【００４０】
また、図４にはカメラヘッド１ａ側の基台１０１ａの形状がカメラ本体１ｂ側の本体ボディを抜き取ったような形状になっていて、それらの形が合わされるようにしてカメラヘッドがカメラ本体に挿入されると、カメラヘッド１ａの装着部１０ａの凸端部に設けられたヘッド側接点部１００ａが本体側接点部１００ｂに接した状態になる位置まで奥深く挿入されるということが示されている。このような構造にしておくと、マウント部１０ｂが装着部１０ａを受け入れた段階で図５（ａ）に示すように双方の接点が相互に接するようになる。なお、図３には図示していないが、カメラヘッド１ａの装着部１０ａをカメラ本体１ｂのマウント部１０ｂに装着したときに本体側接点部１００ｂとヘッド側接点部１００ａとが相互に接した状態が保持されるようにヘッド１ａ側には装着部１０ａをカメラ本体１ｂ側に付勢するようなバネが設けられている。これにより、装着されたときに本体側接点とヘッド側接点とが密に接した状態が保たれるようになっている。
【００４１】
さらに、図５（ａ）に示すヘッド側の接点１００ａおよび本体側の接点１００ｂが、マウント部１０ｂが装着部１０ａを受け入れた段階で相互に接し、さらに図５（ｂ）に示すようにマウント部の本体側接点１００ｂがカメラヘッドの回動に応じて回動されている。このようにカメラヘッドの回動に応じてカメラ本体側の基台１０１ｂもともに回動すると、本体側接点１００ｂとヘッド側接点１００ａとの相対回転が禁止されることになって双方の接点が擦れて磨耗するといったことがない。
【００４２】
また、本実施形態では、マウント部１０に装着部１０ａをしっかりと保持させるため、図５に示すように本体側の基台１０１ａをカメラヘッド側の基台１０１ｂの回動に伴って回動させたときにその基台１０１ｂの４隅をカメラ本体１ａのボディに設けられている爪部１０３ｂに差し込むことによってカメラヘッド１ａの装着部１０ａをカメラ本体１ｂのマウント部１０ｂに保持させている。このようにしておくとカメラヘッド１ａを回動操作するという操作だけでカメラヘッド１ａをカメラ本体１ｂに簡単に装着することができるようになる。
【００４３】
さらに、本実施形態では、カメラヘッド１ａの装着方向への回動終了位置でカメラ本体１ｂに装着が完了したことを検出するセンサ１２０ｂを配備して、そのセンサ１２０ｂによりカメラヘッド１ａがカメラ本体１ｂに装着されたことをマイコンで検知するようにもしてある。
【００４４】
このようにしておくとユーザがカメラヘッド１ａをカメラ本体１ｂから抜去しようとしているときにそのセンサ１２０ｂによりカメラヘッド１ａがまさに抜去されようとしている瞬間をマイコンで検知することができる。このようにマイコンでカメラヘッド１ａが抜去されようとしている瞬間を検知することができるようにすると、その検知を受けたと同時にマイコンで電源を遮断する処理を行なうことができる。このように電源の遮断する処理を行なうことができると、電源が投入されたままカメラヘッドが抜去されようとしているときに異常信号が接点からカメラヘッド内部、カメラ本体内部に混入して双方の電気系統が故障することいったことがなくなる。
【００４５】
以上説明したようにカメラヘッド１ａがカメラ本体１ｂに装着されたときに本体側接点１００ｂとヘッド側接点１００ａとが相互に接し、カメラヘッドの回動によっても双方の接点間の相対回転が禁止されるので、接点同士が擦れることなく双方の接点が磨耗することのないカメラシステムが実現される。また、カメラヘッド１ａをカメラ本体１ｂに装着するときにカメラヘッドの回動操作を行なうだけで済むので、回転リングを回すであるとか、その回転リングを回すためにカメラヘッドを持ちかえるであるとかのような煩雑な操作が必要なくなる。
【００４６】
上記実施形態のように本体側接点がカメラヘッドの回動に伴って回動して本体側接点とヘッド側接点との間の相対回転を禁止する構造にしても良いが、ヘッド側接点をカメラヘッドの回動に伴って回動させる構造にして本体側接点とヘッド側接点の間の相対回転を禁止する構造にしても良い。
【００４７】
図６〜図８は、図３〜図５に示したように本体側接点を回動自在な構成にする代わりにヘッド側接点を回動自在にした場合の構成例を説明する図である。
【００４８】
図６は、カメラヘッド１ａ側の装着部１０ａとカメラ本体１ｂ側のマウント部１０ｂの構成を模式的に示した図であり、また図７は、図６のカメラヘッドの装着部とカメラ本体のマウント部とを抜き出して正面から見た図であり、図８は、カメラヘッド側のヘッド側接点がカメラヘッドの回動に伴って回動したことを説明する図である。
【００４９】
さらに図９は、ヘッド側接点とカメラヘッド内の電気部品であるＣＣＤなどとの配線材料にフレキシブル基板１１０１ａを用いたことを示す図である。
【００５０】
図６〜図８に示すようにヘッド側接点１００ａがカメラヘッド１ａの回動に伴ってヘッド側の基台１０１ａとともに回動する構成にして本体側接点１００ｂとヘッド側接点１００ａの間の相対回転を禁止した場合の例を示してある。図９には、カメラヘッド１ａの回動とともに基台１０１ａが回動し、そのカメラヘッドおよび基台の回動方向とは逆の方向にヘッド側接点１００ａが回動することによって、ヘッド側の基台１０１ａの接点と本体側接点との間の相対回転を禁止した場合の例が示されている。
【００５１】
このようにヘッド側接点１００ａが設けられている基台１０１ａを回動自在にした場合には、ヘッド側接点とカメラヘッド１ａ内の固体撮像素子などの電気部品との間の配線をフレキシブル基板１１０１ａやワイヤハーネスを用いて行なってカメラヘッド１ａの回動によって配線が暴れて切断されることがないようにしておくとヘッド側接点とそれら電気部品との間の接続が保証される。
【００５２】
また図３の例では図示しなかったが、図６に示すようにヘッド側接点１００ａと本体側接点１００ｂとが密に接した状態を保つためにバネ１３０ｂが基台１０１ｂと制御基板１１０１ｂとの間に設けられている。これにより、本体側の基台１０１ｂがヘッド１ａ側に付勢され、本体側接点１００ｂとヘッド側接点１００ａとが緊密に接っした状態がしっかりと保たれるようにもなっている。
【図面の簡単な説明】
【００５３】
【図１】本発明の一実施形態であるカメラシステムを示す図である。
【図２】カメラヘッド１ａがカメラ本体１ｂに装着された状態にあるときのカメラシステムの内部構成のうち、主に撮影処理に係わる系統を抜き出して示した図である。
【図３】カメラヘッド１ａ側の装着部１０ａとカメラ本体１ｂ側のマウント部１０ｂの構成を模式的に示した図である。
【図４】図３のカメラヘッドの装着部とカメラ本体のマウント部とを抜き出して正面から見た図である。
【図５】カメラ本体側のマウント側接点がカメラヘッドの回動に伴って回動したことを説明する図である。
【図６】ヘッド側接点を回動自在にした場合の、カメラヘッド１ａ側の装着部１０ａとカメラ本体１ｂ側のマウント部１０ｂの構成を模式的に示した図である。
【図７】図６のカメラヘッドの装着部とカメラ本体のマウント部とを抜き出して正面から見た図である。
【図８】カメラヘッド側のヘッド側接点がカメラヘッドの回動に伴って回動したことを説明する図である。
【図９】ヘッド側接点とカメラヘッド内の電気部品であるＣＣＤなどとの配線状況を説明する図である。
【符号の説明】
【００５４】
１  カメラシステム
１ａ  カメラヘッド
１０ａ    装着部
１００ａ    ヘッド側接点部
１００１ａ    電力供給用のヘッド側接点
１００２ａ    画像信号供給用のヘッド側接点
１００３ａ    制御信号供給用のヘッド側接点
１０１ａ    基台
１ｂ    カメラ本体
１０ｂ    マウント部
１００ｂ    本体側接点
１００１ｂ    電力供給用の本体側接点
１００２ｂ    画像信号供給用の本体側接点
１００３ｂ    制御信号供給用の本体側接点
１０１ｂ      基台
１０３ｂ      爪部
【図１】
2006065209.tif 000003
【図２】
2006065209.tif 000004
【図３】
2006065209.tif 000005
【図４】
2006065209.tif 000006
【図５】
2006065209.tif 000007
【図６】
2006065209.tif 000008
【図７】
2006065209.tif 000009
【図８】
2006065209.tif 000010
【図９】
2006065209.tif 000011